【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
フェースとフレームを備える金属セクションであって、前記フェースと前記フレームが第１の開口部を画定しており、前記フレームが前記フェースから突出するとともに前記第１の開口部の周囲を連続して延びている、金属セクションと、
前記第１の開口部上に延びるとともに前記第１の開口部を覆うポリマーセクションであって、第２の開口部を協調して画定するソールとクラウンを有する、ポリマーセクションと、
前記金属セクションと前記ポリマーセクションとの間に配置され、それらの間に接着剤接合を形成する接着材料であって、前記接着剤接合が前記ポリマーセクションを前記金属セクションに接合する、接着材料と、
前記金属セクションと前記ポリマーセクションとの間に置かれて前記金属セクションと前記ポリマーセクションを機械的に接合する機械的接合と、を備え、
前記機械的接合は、前記ポリマーセクション又は前記金属セクションの一方から突出するフランジと、前記ポリマーセクション又は前記金属セクションの他方へと凹むチャネルと、を有しており、
前記フランジと前記接着剤接合が前記チャネル内に位置しており、
前記チャネルは、前記フランジと前記接着剤接合を少なくとも部分的に取り囲む隣接した第１の壁及び第２の壁を有しており、
前記フランジは、前記第１の開口部及び前記第２の開口部を取り囲んでおり、
前記チャネルは、前記第１の開口部及び前記第２の開口部を取り囲んでおり、
前記機械的接合はさらに、前記フランジの第１側部から突出する第１の突出部及び前記フランジの第２側部から突出する第２の突出部を有しており、
前記第１の突出部が前記第１の壁に当接し、前記第２の突出部が前記第２の壁に当接し、これにより、前記チャネルと前記フランジの間に締まり嵌めを形成する、ゴルフクラブ用のゴルフクラブヘッド。
【請求項２】
前記接着材料は硬化するように構成され、
前記接着剤接合の接着剤保持強度は、前記接着材料が少なくとも部分的に硬化されたとき、前記機械的接合の機械的保持強度よりも大きくなるように構成され、
前記機械的接合は、前記接着材料が少なくとも部分的に硬化されるまで前記金属セクションに取り付けられて前記ポリマーセクションを保持するように機能する、請求項１に記載のゴルフクラブヘッド。
【請求項３】
前記接着剤保持強度は、前記接着材料が少なくとも部分的に硬化されていないとき、前記機械的接合の前記機械的保持強度以下であるように構成される、請求項２に記載のゴルフクラブヘッド。
【請求項４】
前記機械的接合は、前記金属セクションに対して、前記第１の開口部上に前記ポリマーセクションを機械的に位置合わせするように機能する、請求項１に記載のゴルフクラブヘッド。
【請求項５】
前記金属セクションは金属材料を含み、前記ポリマーセクションはポリマー材料を含み、
前記金属材料は、チタン合金、鋼合金、ステンレス鋼、及び非晶質合金からなる群から選択される、請求項１に記載のゴルフクラブヘッド。
【請求項６】
前記ポリマー材料は射出成形ポリアミドを含む、請求項５に記載のゴルフクラブヘッド。
【請求項７】
前記金属セクションが前記フランジを有しており、前記ポリマーセクションが前記チャネルを有している、請求項１に記載のゴルフクラブヘッド。
【請求項８】
前記金属セクション及び前記ポリマーセクションはそれぞれ、前記機械的接合が間に形成されるように互いに機械的に係合するように構成された保持特徴を備える、請求項１に記載のゴルフクラブヘッド。
【請求項９】
フェースとフレームを備える前方セクションであって、前記フェースと前記フレームが第１の開口部を画定しており、前記フレームが前記フェースから突出するとともに前記第１の開口部の周囲を連続して延びている、前方セクションと、
前記前方セクションに結合されているとともに前記第１の開口部を覆う本体であって、第２の開口部を協調して画定する第１のポリマーセクション及び第２のポリマーセクションを含む、本体と、
前記本体と前記前方セクションとの間、及び、前記第１のポリマーセクションの一部分と前記第２のポリマーセクションとの間に配置され、それらの間に接着剤接合を形成する接着材料であって、前記接着材料が少なくとも部分的に硬化したときに前記接着剤接合が前記前記第１のポリマーセクションを前記第２のポリマーセクションに結合する、接着材料と、
前記本体と前記前方セクションと前記第１のポリマーセクションと前記第２のポリマーセクションの間に置かれて前記本体と前記前方セクションと前記第１のポリマーセクションと前記第２のポリマーセクションを機械的に接合する機械的接合と、を備え、
前記機械的接合は、前記第１のポリマーセクション又は前記第２のポリマーセクションの一方から突出する第１のフランジと、前記本体又は前記前方セクションの一方から突出する第２のフランジと、前記第１のポリマーセクション又は前記第２のポリマーセクションの他方へと凹む第１のチャネルと、前記本体又は前記前方セクションの他方へと凹む第２のチャネルと、を有しており、
前記第１のフランジが前記第１のチャネル内に位置しており、
前記第１のチャネルは、前記第１のフランジを少なくとも部分的に取り囲む隣接した壁を有しており、
前記第２のフランジが前記第２のチャネル内に位置しており、
前記第２のチャネルは、前記第２のフランジを少なくとも部分的に取り囲む隣接した第１の壁及び第２の壁を有しており、
前記第２のフランジは、前記第１の開口部及び前記第２の開口部を取り囲んでおり、
前記第２のチャネルは、前記第１の開口部及び前記第２の開口部を取り囲んでおり、
前記機械的接合はさらに、前記第２のフランジの第１側部から突出する第１の突出部及び前記第２のフランジの第２側部から突出する第２の突出部を有しており、
前記第１の突出部が前記第２のチャネルの前記第１の壁に当接し、前記第２の突出部が前記第２のチャネルの前記第２の壁に当接し、これにより、それらの間に締まり嵌めを形成する、ゴルフクラブヘッド。
【請求項１０】
接着剤保持強度は、前記接着材料が少なくとも部分的に硬化されていないとき、前記機械的接合の機械的保持強度以下であるように構成される、請求項９に記載のゴルフクラブヘッド。
【請求項１１】
前記第１のポリマーセクション及び前記第２のポリマーセクションはそれぞれ、射出成形ポリアミド材料を含む、請求項９に記載のゴルフクラブヘッド。
【請求項１２】
前記前方セクションは、チタン合金、鋼合金、ステンレス鋼、及び非晶質合金からなる群から選択される金属材料を含む、請求項９に記載のゴルフクラブヘッド。
【請求項１３】
前記第１の突出部が第１の複数の窪みを有し、前記第２の突出部が第２の複数の窪みを有し、前記第２のチャネルの内側面に機械的に係合する、請求項９に記載のゴルフクラブヘッド。
【請求項１４】
前記金属セクションはさらに、前記フェースの下側部分に隣接するソールと、前記フェースの上側部分に隣接するトップラインを有している、請求項１に記載のゴルフクラブヘッド。
【請求項１５】
前記第１の突出部と前記第２の突出部が、前記チャネルにスナップ嵌めされ、これにより、前記機械的接合を形成する、請求項１に記載のゴルフクラブヘッド。
【請求項１６】
前記フレームが、前記フェースに一体的に形成されており、
前記ソールと前記クラウンが機械的に結合し、これにより、前記第２の開口部を協調して画定する請求項１に記載のゴルフクラブヘッド。
【請求項１７】
前記フランジが前記フレームに隣接するとともに前記フレームから突出し、前記チャネルの隣接する壁が前記ポリマーセクションから突出する、請求項１６に記載のゴルフクラブヘッド。
【請求項１８】
前記接着材料の少なくとも一部が、前記フランジを少なくとも部分的に取り囲む、請求項１に記載のゴルフクラブヘッド。
【請求項１９】
前記第１の突出部が第１の複数の窪みを有しており、前記第２の突出部が第２の複数の窪みを有しており、前記チャネルの第１の壁の内側面及び前記第２の壁の内側面に機械的に係合する、請求項１に記載のゴルフクラブヘッド。
【請求項２０】
フェースとフレームを備える金属セクションであって、前記フェースと前記フレームが第１の開口部を画定しており、前記フレームが前記フェースから突出するとともに前記第１の開口部の周囲を連続して延びており、前記フェースが前記フレームと一体的に形成されている、金属セクションと、
前記第１の開口部を渡って延びるとともに前記第１の開口部を覆うポリマーセクションであって、クラウンに結合して第２の開口部を協調して画定するソールを有する、ポリマーセクションと、
前記金属セクションと前記ポリマーセクションとの間に置かれて前記金属セクションと前記ポリマーセクションを機械的に接合する機械的接合と、
接着材料と、を備え、
前記機械的接合は、前記金属セクションから突出するフランジと、前記ポリマーセクションによって画定されるチャネルと、を有しており、
前記フランジと前記チャネルの双方が、前記第１の開口部と前記第２の開口部を取り囲んでおり、
前記チャネルは、隣接した第１の壁及び第２の壁を有しており、第１の壁及び第２の壁の間に前記フランジが位置しており、
前記フランジは、前記第１の壁に当接する第１の突出部及び前記第２の壁に当接する第２の突出部を有しており、これにより、前記チャネルを塞いで前記チャネルと前記フランジの間に締まり嵌めを形成しており、
前記接着材料は、前記チャネル内に配置され、少なくとも部分的に前記フランジを取り囲んでおり、
前記接着材料は、前記金属セクションと前記ポリマーセクションとの間に接着剤接合を形成し、これにより、前記金属セクションと前記ポリマーセクションを接合する、ゴルフクラブ用のゴルフクラブヘッド。